(57)【要約】【解決手段】  本発明は、光学差し込み式接続用差し込み要素（１）に関する。前記要素はコネクタピン（２）を備えており、前記コネクタピンは、ガイドスリーブ（４）内に、軸方向のバネ負荷予荷重が掛かった状態で、その長手軸（３）に沿って制限された状態で変位できるように支持されている。前記ガイドスリーブは、少なくとも２つのケーシング要素（５、５'）で構成され、ケーシング要素は、その長手軸に沿ってアッセンブリできるようになっている。前記ケーシング要素は、スクリューや接着剤による接合を必要としないので、製造とアッセンブリが大幅に単純化される。
2005517206.tif 000002
【特許請求の範囲】
【請求項１】
光学差し込み式接続用コネクタ部品（１）であって、少なくとも１つの円筒形のコネクタピン（２）を有しており、前記コネクタピンは、ガイドスリーブ（４）内に、その長手中心軸（３）方向に制限された様式で変位させることができるように、軸方向のばね予荷重が掛かった状態で保持されているコネクタ部品において、前記ガイドスリーブ（４）は、少なくとも２つのシェル部品（５、５'）を備えており、両者は、長手中心軸（３）に沿って一体に嵌め合わせることができるようになっていることを特徴とするコネクタ部品（１）。
【請求項２】
前記ガイドスリーブ（４）は、２つの同じシェル部品（５、５'）を備えており、両者は、長手中心軸（３）を通る面上で一体に嵌め合わせることができるようになっていることを特徴とする、請求項１に記載のコネクタ部品。
【請求項３】
隣接する各シェル部品（５、５'）は、その接触面（６、６'）に、一体に設けられた突起（７、９）と窪み（８、１０）を有していることを特徴とする、請求項１又は２に記載のコネクタ部品。
【請求項４】
前記突起と窪みの少なくとも幾つかは、スタッドと、対応するスタッド用開口部であり、前記シェル部品が一体に保持されるよう円錐形に成形されていることを特徴とする、請求項３に記載のコネクタ部品。
【請求項５】
前記シェル部品（５）は、それを取り巻く少なくとも１つのカフ（１１）によって、解除可能に一体に保持されていることを特徴とする、請求項１から４の何れかに記載のコネクタ部品。
【請求項６】
少なくとも１つのシェル部品の内側にはリブ（１４）が設けられており、前記リブは、前記コネクタピン（２）の外側ケーシング上に設けられた窪み（１５）に、そのばね変位が制限され、且つ回転方向に固定された状態に保持されるように係合していることを特徴とする、請求項１から５の何れかに記載のコネクタ部品。
【請求項７】
前記コネクタピン、又は前記コネクタピンに接続されている部品は、少なくとも１つの乗り上げ斜面を有しており、前記斜面は、長手中心軸を通る面に対して傾斜しており、ばね力が掛かると、少なくとも１つのシェル部品の内側に設けられた乗り上げ縁部又は乗り上げ面に押し付けられ、前記コネクタピンの回転方向位置を定めることができるようになっていることを特徴とする、請求項１から６の何れかに記載のコネクタ部品。
【請求項８】
前記シェル部品（５、５'）には、その内側に、前記コネクタピン（２）に直接的又は間接的に作用する圧縮コイルばね（１９）を支持する支持台（１８）が形成されていることを特徴とする、請求項１から７の何れかに記載のコネクタ部品。
【請求項９】
前記ガイドスリーブ（４）は、コネクタハウジング（２０）内に回転方向に固定された状態で挿入されるが、前記ガイドスリーブの外側には位置決め部分（２１）が設けられ、前記ガイドスリーブと前記コネクタハウジングの間の相対的回転方向位置は、前記コネクタハウジング上の相補的位置決め部分（２２）によって固定されることを特徴とする、請求項１から８の何れかに記載のコネクタ部品。
【請求項１０】
前記ガイドスリーブ（４）は、コネクタハウジング（２０）内に、任意の所望の相対回転位置で、回転方向に固定された状態で挿入できることを特徴とする、請求項１から８の何れかに記載のコネクタ部品。
【請求項１１】
前記ガイドスリーブ（４）を、前記コネクタハウジング（２０）内に固定するために、少なくとも１つの弾性キャッチ（２５）が設けられ、前記コネクタハウジング内の抜け留め肩部（２６）の背面と係合できるようになっていることを特徴とする、請求項９又は１０の何れかに記載のコネクタ部品。
【請求項１２】
前記キャッチ（２５）は、長手中心軸（３）に対して鋭角で外向きに突き出る、シェル部品（５）の壁部分として形成されていることを特徴とする、請求項１１に記載のコネクタ部品。
【請求項１３】
前記ガイドスリーブ（４）を、前記コネクタハウジング（２０）内に固定するために、少なくとも１つの弾性クランプ円板（３０）が設けられ、前記コネクタハウジング内のクランプ部分（３１）にクランプできるようになっていることを特徴とする、請求項９又は１０の何れかに記載のコネクタ部品。
【請求項１４】
前記クランプ円板は、前記シェル部品の間に、クランプ円板支承部に保持され、前記ガイドスリーブの開口部（３４）を通って突き出る少なくとも１つのクランプ区画（３３）を有していることを特徴とする、請求項１３に記載のコネクタ部品。
【請求項１５】
前記クランプ円板は、十字型に配置された４つのクランプ区画を有していることを特徴とする、請求項１４に記載のコネクタ部品。
【請求項１６】
前記クランプ円板は、長手中心軸に沿って順に複数個配置されていることを特徴とする、請求項１３から１５の何れかに記載のコネクタ部品。
【請求項１７】
前記ガイドスリーブ（４）を、前記コネクタハウジング（２０）内に固定するために、前記ガイドスリーブの外側に少なくとも１つの円錐形の部分（４６）を設けて、前記コネクタハウジングの対応する円錐形の受け入れ穴（４７）に押し込めるようになっていることを特徴とする、請求項９又は１０の何れかに記載のコネクタ部品。
【発明の詳細な説明】
【技術分野】
【０００１】
本発明は、請求項１の前文による光学差し込み式接続用コネクタ部品に関する。
【背景技術】
【０００２】
この様なコネクタ部品においては、コネクタピンに掛かる軸方向ばね予荷重は、ケーブルに許容誤差があったり引っ張り力が掛けられている場合でも、挿入された状態で確実に光を伝送する効果を有している。ガイドスリーブは、この場合、ばねの変位を制限し、コネクタピンの半径方向の位置決めをする働きもする。
【０００３】
コネクタピンの弾性的取り付けに関しては、数多くの解決策が知られている。大抵の場合、コネクタピンがピンホルダー内に配置され、ピンホルダーがその部分をガイドスリーブ内に保持し案内する。例えば、ＣＨ−Ａ−６８９３１６は、ばね要素として形成された接続部分によってケーブル受け入れ要素と一体に形成されたピンホルダーを開示している。これはガイドスリーブに挿入され、このガイドスリーブは、プッシュプル・コネクタの内側ハウジング部分を形成する。
【０００４】
ＥＰ−Ａ−１，１１５，０１４によれば、ピンホルダーは、別体の部品であり、ガイドスリーブ内に、回転方向には固定され変位可能な様に取り付けられている。ガイドスリーブは、圧縮コイルばねを閉じ込めた状態でハウジング終端部品で閉じられ、それによってこのユニット全体が外側ハウジングに挿入できるようになっている。
【０００５】
しかしながら、コネクタピンが、ピンホルダー無しにガイドスリーブ内に直接取り付けられている解決策は、既に知られている。例えば、ＥＰ−Ａ−６０１９７６は、互いにスクリュー結合することのできる２つのスリーブ部品を備えたガイドスリーブを開示している。２つのスリーブ部品は、同時にＵ字型のフォークを保持し、これがコネクタピンの凹部と係合し、その結果として、コネクタピンの相対位置とばね変位を制限している。
【特許文献１】ＣＨ−Ａ−６８９３１６
【特許文献２】ＥＰ−Ａ−１，１１５，０１４
【特許文献３】ＥＰ−Ａ−６０１９７６
【発明の開示】
【発明が解決しようとする課題】
【０００６】
既知の解決策は、或る程度の複雑なアッセンブリ作業を必要とし、全てのコネクタ型式に等しく適しているわけではない。従って、本発明の目的は、迅速且つ容易にアッセンブリすることができ、個別部品をできるだけ少なくした、最初に述べた型式のコネクタ部品を提供することである。
【課題を解決するための手段】
【０００７】
このコネクタ部品は、できる限り、全く異なる構造の光学コネクタにも使用することができ、アッセンブリの際に、スクリュー留めや接着剤を使った接合を排除することを狙っている。
【０００８】
上記目的は、本発明によれば、請求項１に述べる特徴を有するコネクタ部品により達成される。ガイドスリーブを、長手中心軸に沿って一体に嵌め合わせることのできる少なくとも２つのシェル部品で形成することにより、アッセンブリが大幅に単純化され、必要な部品点数が削減される。コネクタピンと、必要な圧縮ばねは、シェル部品の間に直接入れ込むことができ、複雑なスクリュー接合の必要はない。ガイドスリーブは、この場合、好都合に２つの同じシェル部品で構成され、長手中心軸を通る面上で一体に嵌め合わせることができる。その結果、ガイドスリーブを対になった１種類のシェルで作ることができるため、製造コストを大幅に低減することができる。
【０００９】
しかしながら、ガイドスリーブは、３つ以上のシェル部品で作ることもできるし、それらを必ずしも同じに作る必要もない。更に、シェル部品は、必ずしも長手中心軸を通る平面上で互いに突き合わせる必要もない。接触面は、螺旋の形をしていてもよい。
【００１０】
隣接するシェル部品は、接触面上に、相互係合用の突起と窪みを有しているのが望ましい。シェル部品が同一部品の場合、これら突起と窪みは雄部及び雌部として形成され、各シェルが突起と窪みの両方を有することになる。
【００１１】
突起と窪みは、シェル部品が圧入嵌合又はスナップ接合によって一体に保持されるように構成されている。突起と窪みの少なくとも幾つかは、スタッドと、対応するスタッド用開口部となっていて、シェル部品同士が一体に保持されるように円錐形に形成されていてもよい。円錐の角度は、この場合は明らかなように、セルフロックが起こるように形成しなければならない。
【００１２】
しかしながら、シェル部品は、緩く一体接合してもよい。しかしながら、特にアッセンブリのためには、シェル部品同士が、それらを取り巻く少なくとも１つのカフで解除可能に一体に保持されるのであれば、どの様な場合でも好都合である。その様なカフは、例えば、端部でシェル部品上に滑らせるようにしてもよい。
【００１３】
コネクタピンのばね変位が制限され、コネクタピンが回転方向には固定された状態に保持されるように、コネクタピンの外側ケーシングの窪みに係合するリブが、少なくとも１つのシェル部品の内側に設けられていれば、特別に好都合なコネクタピンの取付法が得られる。この様にすれば、コネクタピンを案内するための別体のピンホルダーは、必要なくなる。コネクタピンのための比較的手の込んだ接着剤による接合作業は、結果的に不要になる。コネクタピンは、少なくともその外側ケーシングは、例えばセラミック材のような非常に硬い材料で構成されている。窪みは、コネクタピンの製造時に直接設けることができるので、後で機械加工する必要はない。同様なピン案内法は、従来型のガイドスリーブと組み合わせて、始めに触れたＥＰ−Ａ−６０１，９７６に既に開示されている。
【００１４】
コネクタピン、又はコネクタピンに結合された構成要素が、長手中心軸を通る平面に対して傾斜していて、ばね力の作用の下で少なくとも１つのシェル部品の内側の乗り上げ縁部又は乗り上げ面に押し付けてコネクタピンの回転方向の位置を定めることのできる、少なくとも１つの乗り上げ斜面を有していれば、差し込み操作の前にコネクタピンの角度位置決めを行うのに特別好都合である。これによって、コネクタピンは、確実に、スプリング力に押し返される前に常に同じ開始位置を取ることができる。
【００１５】
シェル部品には、更に、直接的又は間接的にコネクタピンに作用している圧縮コイルばねを支持する支持台が、内側に設けられているのが望ましい。支持台は、この場合、外周のカラーの形を有している。圧縮コイルばねの代わりに、場合によっては他のばね要素を使用することも考えられる。
【００１６】
弾性的に取り付けられているコネクタピンを備えているガイドスリーブは、それ自体が、光を伝送するための光ファイバーケーブル上で、機能的な端部を既に形成している。この様な要素は、どの様な所望の光電子システムにでも装着することができる。しかしながら、ガイドスリーブは、回転方向に固定された状態でコネクタハウジング内に好都合に挿入することができ、位置決め部分はガイドスリーブの外側に設けられている。ガイドスリーブとコネクタハウジングの間の相対的な半径方向位置は、この場合、コネクタハウジング上の相補的位置決め部分によって固定される。コネクタハウジング自身が、コネクタピンを保護し、引っ張り力に抗してソケット部品内にロックする働きをする。
【００１７】
ガイドスリーブ上の位置決め部分は、少なくとも１つの位置決め突起を有しており、コネクタハウジング上の位置決め部分は、円周状に等間隔に配置された多数の窪みを有しており、その中に選択に従って位置決め突起を挿入できるようになっている。これによって、ガイドスリーブは、コネクタハウジング内で、例えば互いに６０°間隔の６つの半径方向位置を取ることができる。光の伝送に関して最も好適な位置は、既知の方法で測定して求めることができる。
【００１８】
場合によっては、例えば偏光ファイバー用のコネクタ部品の場合は、コネクタハウジング内の所定の相対位置の間で選択するのでは不十分なことがある。その様な場合、ガイドスリーブを、回転方向に固定された状態で、コネクタハウジング内に任意の所望の相対的半径方向位置で挿入できれば好都合である。この様にすれば、選択された位置で最終アッセンブリをする前に、予めマニピュレータで、角度の下の単位まで最適伝送値を正確に定めることができる。
【００１９】
ガイドスリーブをコネクタハウジング内に固定するために、コネクタハウジング内の抜け留め肩部の背面と係合することのできる少なくとも１つの弾性キャッチが、ガイドスリーブ上に設けられている。この場合、工具無しでアッセンブリできるのは明らかである。このキャッチはガイドスリーブと一体に形成されているのが望ましく、そうすれば製造するのが更に簡単になる。その場合、キャッチを、長手中心軸に対して鋭角で外向きに突出するシェル部品の壁部分として形成すれば、特に都合がよい。
【００２０】
コネクタピンの端面と抜け留め肩部の間でシェル部品の内径が適切に選定されていれば、筒型のツールをコネクタの端面から挿入して、キャッチをロック解除することができる。しかしながら、コネクタハウジングの外側から、例えば適した開口を使ってロック解除することも考えられる。
【００２１】
しかしながら、ガイドスリーブをコネクタハウジング内に固定するには、コネクタハウジング内のクランプ部分にクランプすることのできる、少なくとも１つの弾性クランプ円板を設けることも考えられる。この変形例は、クランプ部分を中空の円筒形に形成することができ、弾性キャッチとは対照的に、アンダーカットや抜け留め肩部が必要なくなるという利点を有している。クランプ円板をクランプ部分に押し込むと、クランプ円板は僅かに曲がって、その外周部がクランプ部分にクランプされることになる。
【００２２】
特に好都合なのは、クランプ円板が、シェル部品の間でクランプ円板支承部に保持され、ガイドスリーブの開口を通って突き出る少なくとも１つのクランプ区画を有していることである。この様にして、クランプ円板は、何の問題もなくその軸方向の相対位置に固定することができる。クランプ円板が十字に配置されたクランプ区画を有していれば、特に最適な効果が得られる。クランプ円板が、長手中心軸に沿って順に何個か配置されていれば、クランプ効果が更に改善される。部品の材料と寸法次第で、クランプ力は、コネクタ部品がコネクタハウジングに働く所定の引っ張り力を吸収するように設定することができる。最後に、しかしながら、ガイドスリーブの外側に少なくとも１つの円錐形の部分を設けて、コネクタハウジングの対応する円錐形の受け入れ穴に押し込んで、ガイドスリーブをコネクタハウジングに固定することもできる。この様にすれば、円錐の角度、材料の弾性、表面仕上げ品質次第で、コネクタ部品に働く荷重が正常な範囲にある限り、決して外れることのないセルフロック式の摩擦接合を作り出すことができる。円錐クランプ接合は、非常に容易に製作することができ、全体として部品が単純化できるという利点を有している。例えば、１：３０のテーパが特に好都合であると分かっている。更に、少なくともガイドスリーブの円錐部分は、実質上の滑らかな鏡面となっている。コネクタハウジングの対応する円錐受け入れ穴は、必ずしもガイドスリーブの円錐部分と同じ長さの円錐穴である必要はない。
【００２３】
シェル部品は、プラスチック材から射出成形で製作するのが好都合である。そうすれば、非常に安いコストで、適正精度で製作することができる。しかしながら、条件が整えばセラミック材又は金属材料で作ることも考えられる。
【発明を実施するための最良の形態】
【００２４】
以下、本発明の代表的な実施形態について添付図面を参照しながら説明する。
図１に示すように、コネクタ部品１は同じ形のシェル部品５、５’を備えており、両者は、その接触面６にスタッド７とスタッド用開口部８を有している。各シェル部品は、雄部と雌部両方を有するように形成されているので、２つの同形のシェル部品を一体に結合して、ガイドスリーブ４（図４）を形成することができる。
【００２５】
コネクタピン２と圧縮コイルばね１９は、このガイドスリーブ内に保持されている。ケーブルスリーブ９とケーブル端スリーブ１０は、確実に、光ファイバーケーブル（ここには図示していない）が中心を保護された状態で走り、即ち座屈荷重を受けないようにしている。２つのシェル部品５、５’は、カフ１１で固定され、カフは、カフ支持部１２上に押し込めるようになっている。
【００２６】
各シェル部品の内側には、直径上の互いに反対側に周辺リブ１４が設けられている。これらのリブは、コネクタピン２上の対応する窪み１５と係合し、窪みはリブよりも幅が広くなっているので、コネクタピンは、長手中心軸３方向に規定のばね変位を保持できるようになっている。コネクタピン２は、圧縮コイルばね１９によって窪み１５がリブ１４に押し付けられ、圧縮コイルばねは、支持台１８（図２）上に支持されている。
【００２７】
図３は、ガイドスリーブをシェル部品５で閉じる前の、圧縮コイルばね付のコネクタピンをシェル部品５’に装着した状態を示している。
図４は、コネクタハウジング２０に挿入する前の、アッセンブリ済みのコネクタ部品１を示している。コネクタハウジング内に固定するために、キャッチ２５が、ガイドスリーブ４、即ち各シェル部品上に設けられ、各シェル部品と一体に接合され、弾性的に内向きに押し付けることができるようになっている。コネクタ部品１のコネクタハウジング２０内における半径方向角度位置は、ガイドスリーブ４の位置決め部分２１が、コネクタハウジング２０の対応する位置決め部分２２と相互作用することによって固定される。このために、位置決め部分２１には、直径方向の互いに反対側に２つの位置決め突起２３が設けられており、位置決め部分２２上の等間隔に設けられた窪み２４と係合するようになっている。この場合、アッセンブリ前に、コネクタピンの端面に出てくる光を測定することによって、コネクタ部品１に関する最適の相対位置が定められ、コネクタ部品がそれに従って最も近い相対位置に挿入される。
【００２８】
位置決め部分２１と２２の相互係合状態を図６に示す。２つのキャッチ２５が、対応する抜け留め肩部２６の背面と係合している様子も示されている。言うまでもなく位置決め部分２１、２２を省いて、コネクタ部品１がどの様な所望の角度位置にでも挿入できるようにしてもよい。その場合、回転方向の固定は、接着剤による接合その他の方策で行うこととなる。
【００２９】
最後に、全体を参照番号４０で示す光学コネクタの他の要素を、図５、６に示す。本実施形態では、コネクタをソケットに挿入する際にひとりでに開く保護フラップ４２が、ハウジングの端面に設けられている。ロック条帯４３に、対応するキャッチを係合させ、ソケットのロックの役を果たさせている。ロック解除のために、ロック解除レバー４１が設けられている。
【００３０】
図７は、コネクタ部品１の別の実施形態の各部品を示しており、基本的原理に関しては図１のものと同様に構成されている。しかしながら、コネクタピンのガイドスリーブへの取り付けと、ガイドスリーブのコネクタハウジングへの固定は、違った方式で行われる。即ち、ガイドスリーブ４（図９）は、２つのシェル部材５、５’を備えており、両者は、接触面６においてスタッド７とスタッド用開口部８で正確に嵌め合わされ一体に連結することができるようになっている。しかしながら、本実施形態の場合、スタッドとスタッド用開口部は、セルフロックできるような円錐形に形成されているので、シェル部品は互いに一体に保持することができる。従って、図１の代表的実施形態の場合のようなカフは、省くことができる。
【００３１】
コネクタピン２は、直接にではなく、ピンホルダー２７を介して案内されている。コネクタピンは、本実施形態では、ピンホルダー内に接着剤で埋め込まれることになる。コネクタの端面に向かって、ピンホルダーは、２つの互いに反対側に設けられた乗り上げ斜面２８を有しており、この乗り上げ斜面２８は、シェル部品の内側に設けられた乗り上げ面２９と対応している。
【００３２】
本実施形態の場合も、圧縮コイルばね１９用に、周辺肩部の形をした支持台１８が設けられており、光ファイバーケーブルは、コネクタピン２と一体で取り替えることのできるケーブルスリーブ９を通して案内される。一方、ケーブルスリーブ９上に押し付けられるケーブル端スリーブ１０は、２つのシェル部品５、５’の間にしっかりと埋め込まれている。
【００３３】
コネクタ部品１をコネクタハウジング２０（図８）内に固定するために、合計４個のクランプ円板３０が、２つのシェル部品の間に、正確にはそのために特別に設けられたクランプ円板支承部３２内にクランプされている。各クランプ円板は、鋼製、場合によってはプラスチック製で、十字型に配置され、半割シェルの対応する開口部３４を突き抜けるクランプ区画３３を有している。本実施形態のアッセンブリ済みのコネクタ部品１を、図９に、コネクタハウジング２０に挿入前の状態で示している。
【００３４】
図１０に示す光学コネクタ４０は、外部形状が図５のものと幾らか違っている。揺動上昇させることのできる保護フラップ４２は、同じである。一方、ソケット部品への取り付けはロックレバー４４助けを得て行われ、ロックレバーはコネクタハウジングにスナップ嵌合され、そのキャッチ４５はソケット部品に係合できるようになっている。差し込みを抜く際には、ロックレバー４４を押し下げねばならない。
【００３５】
コネクタピンの取り付けと、コネクタ部品のコネクタハウジングへの回転方向に固定された取り付けについて、図１１から１３に基づき少し詳細に説明する。
図１１から明らかなように、コネクタハウジング２０は、断面が中空の円筒形のクランプ部分３１を有している。各クランプ円板３３は、しっかりとクランプされ、長手中心軸３に対し横断方向に配置されている。クランプ区画は、開口部３４を通って、ガイドスリーブ４の外側ケーシング３５を僅かに越えて突き出ている。一方、開口部３４は、クランプ区画３３より僅か幅が広く、クランプ区画が僅かに曲げ戻れるようになっている。クランプ円板の抜け留め効果を、図１２、１３に示す。コネクタハウジング２０の外での力が掛かっていない状態では、クランプ円板３０は、外径がｄ１で、クランプ区画３３は、角度α１で僅かに傾斜が付いている。外径ｄ１は、クランプ部分３１の内径ｄ２よりも僅かに大きいので、半径差Δｒが得られる。コネクタ部品をコネクタハウジングに挿入すると、このためにクランプ区画が自身のばね予荷重に抗して曲げられるので、角度α２を成すことになる。図示のように、各クランプ円板３０はクランプ部分３１内にクランプされているので、周囲に及ぼすクランプ力は、必要な押し込み力から力の平行四辺形によって作り出される。
【００３６】
図１１、１２には、更に、ピンホルダー２７、具体的にはその乗り上げ斜面２８が対応する乗り上げ面２９に押し付けられている様子がはっきりと示されている。この様に、コネクタピン２は、常に正しい相対位置に保持されている。
【００３７】
コネクタ部品１をクランプ円板３０で固定するのは、相対的半径方向位置を非常に正確に固定する必要のある偏光光学導波管に特に適している。図１１から明らかなように、コネクタハウジング２０又はコネクタ部品１には、何ら相互位置決め部分が設けられておらず、それは、クランプ円板３０が、どんな場合でも回転方向に固定された接続を保証しているからである。
【００３８】
上記クランプ円板の助けを得てコネクタ部品をコネクタハウジングに固定するのは、状況次第で、シェル部品で構成されていない従来型のコネクタ部品でも使用することができる。その場合、個々のクランプ円板をコネクタ部品の外側ケーシングに固定してもよく、外側ケーシングと一体に成形してもよい。
【００３９】
図１４は、コネクタ部品１の又別の実施形態の各部品を示しており、図１又は７によるものと同様に構成されている。コネクタピン２をガイドスリーブ４に取り付けるのは、図１に示す代表的実施形態の場合と同じやり方で行われ、即ち、隣接するリブ１４をコネクタピン２に設けられた対応する窪み１５に係合させる。一方、ガイドスリーブをコネクタハウジングに固定するためには、何ら特別な部品を使用していない。ガイドスリーブの外側に円錐形の部分４６を設けて、円筒形の部分４８に繋いでいるだけである（図１５）。
【００４０】
コネクタハウジングの内側には、図１６に示すように、円錐形の受け穴４７が設けられている。ガイドスリーブ４の正しい半径方向位置決めが済んだ後、ガイドスリーブをコネクタハウジング２０に押し込んで、強力なクランプ接続を確立する。コネクタハウジングの相補的部分と相互作用する、半径方向位置決め用の位置決め部分は、この場合、ガイドスリーブ上に設けられている。しかしながら、代わりに、図７から１３に示す代表的実施形態の場合でのように、任意の所望の半径方向位置を選択することもできる。
【００４１】
図１７は、コネクタハウジングに押し込まれたガイドスリーブを示している。ここでも同様に明らかなように、コネクタピン２の取付は、ガイドスリーブの２つの半割のシェルに対して、軸方向に変位可能である。このコネクタピンは、圧縮コイルばね１９の力に抗して、リブ１４が窪み１５の反対側の壁に当たるまで、押し戻すことができる。
【図面の簡単な説明】
【００４２】
【図１】コネクタ部品の第１の実施形態の各部品を示す斜視図である。
【図２】図１の各部品の、第１アッセンブリ段階後の状態を示す。
【図３】図１の各部品の、第２アッセンブリ段階後の状態を示す。
【図４】アッセンブリされた図１のコネクタ部品の、コネクタハウジングに挿入する前の状態を示す。
【図５】第１の実施形態による、アッセンブリ済みの光学コネクタを示す。
【図６】図５の光学コネクタの長手方向断面図である。
【図７】コネクタ部品の第２の実施形態の各部品を示す斜視図である。
【図８】図７の各部品の、第１アッセンブリ段階後の状態を示す。
【図９】アッセンブリ済みの図７のコネクタ部品の、コネクタハウジングに挿入する前の状態を示す。
【図１０】第２実施形態による、アッセンブリ済みの光学コネクタを示す。
【図１１】図９のコネクタハウジング及びコネクタ部品の断面図である。
【図１２】図１０の光学コネクタの断面図である。
【図１３】図１２の光学コネクタ内のクランプ円板の詳細を示す。
【図１４】コネクタ部品の第３の実施形態の各部品を示す斜視図である。
【図１５】図１４の各部品の、第１アッセンブリ段階後の状態を示す。
【図１６】アッセンブリ済みの図１４のコネクタ部品の、コネクタハウジングに挿入する前の状態を示す。
【図１７】アッセンブリ済みの図１６のコネクタの長手方向断面図を示す。
【図１】
2005517206.tif 000003
【図２】
2005517206.tif 000004
【図３】
2005517206.tif 000005
【図４】
2005517206.tif 000006
【図５】
2005517206.tif 000007
【図６】
2005517206.tif 000008
【図７】
2005517206.tif 000009
【図８】
2005517206.tif 000010
【図９】
2005517206.tif 000011
【図１０】
2005517206.tif 000012
【図１１】
2005517206.tif 000013
【図１２】
2005517206.tif 000014
【図１３】
2005517206.tif 000015
【図１４】
2005517206.tif 000016
【図１５】
2005517206.tif 000017
【図１６】
2005517206.tif 000018
【図１７】
2005517206.tif 000019
【国際調査報告】
2005517206.tif 000020
2005517206.tif 000021
2005517206.tif 000022
2005517206.tif 000023
2005517206.tif 000024
2005517206.tif 000025